(57)【要約】【課題】ホワイトボードの筆記面を撮影する、デジタルカメラ装置のカメラアプリケーションであって、撮影画像を台形補正すると共に、この補正された撮影画像を利用者にとって管理が容易となるように表示可能とすることを目的とする。【解決手段】本発明は、ホワイトボードの筆記面を撮影するカメラアプリケーションであって、撮影画像の台形補正を行う機能と、撮影画像の一部の領域の画像を認識して、この一部の領域に筆記された項目をリスト表示する機能とを有することを特徴とするものである。【選択図】    図５
2014098944.tif 000002
【特許請求の範囲】
【請求項１】
ホワイトボードの筆記面を撮影するカメラアプリケーションであって、このホワイトボードの筆記面の一角に設けられた補正用マークを用いて撮影画像の台形補正を行うことを特徴とするカメラアプリケーション。
【請求項２】
前記ホワイトボードの筆記面の一角に設けられた補正用マークに最も近接して抽出された輪郭線を用いて撮影画像の台形補正を行うことを特徴とする請求項１項記載のカメラアプリケーション。
【請求項３】
前記補正マークを撮影画像から削除して記録する機能を有することを特徴とする請求項２項記載のカメラアプリケーション。
【請求項４】
ホワイトボードの筆記面を撮影するカメラアプリケーションであって、撮影画像の一部の領域の画像を認識して、この一部の領域に筆記された項目をリスト表示する機能とを有することを特徴とする請求項１項記載のカメラアプリケーション。
【請求項５】
ホワイトボードの筆記面を撮影するカメラアプリケーションであって、ホワイトボード上に配置されたテンプレートシートの領域を撮影画像の一部として認識して、この一部の領域に筆記された項目をリスト表示する機能とを有することを特徴とする請求項４項記載のカメラアプリケーション。
【発明の詳細な説明】
【技術分野】
【０００１】
本発明は、ホワイトボードの筆記面をデジタルカメラを内蔵した装置で撮影し、この撮影した画像ファイルを修正、管理するのに適したカメラアプリケーションに関するものである。
【背景技術】
【０００２】
電子黒板装置は、白色の筆記面に、マーカーで文字や図形を筆記すると共に、この筆記した表面を光学センサーにて画像情報として読み取り、読み取った画像情報を縮小して紙に印刷し、或いは記録する機能を有することを特徴としている。
これに対して、ホワイトボードは読み取り装置を有しておらず、単にマーカーによって筆記するものである。
近年、スマートフォンが普及するに従い、このスマートフォンの内蔵カメラで、ホワイトボードの筆記画像を撮影して、保存或はメール送信することが行われるようになってきた。
このスマートフォンのカメラアプリケーションによって、このホワイトボードの筆記画像を保存管理するシステムも考えられている。
【０００３】
特開２０１２−０６８７４６号には、ホワイトボードではないが、紙をデジタルカメラで撮影する場合の台形補正に関する技術が示されている。この技術では、撮影する紙の４隅に補正用マークを付することによって、台形補正を行っている。
【０００４】
【特許文献１】特開２０１２−０６８７４６号
【発明の開示】
【発明が解決しようとする課題】
【０００５】
台形補正において、上記のように４隅にマークを付する場合、ホワイトボードに筆記する際に、このマークが邪魔になってしまう。
また、カメラの撮影領域の４隅にこのマークが位置するように撮影しなければならず、撮影場所が限定されてしまう。
この技術とは別に、ホワイトボードの上下左右端の４辺を検出して台形補正する技術も知られている。
この場合、例えば、ホワイトボード筆記面とこれを固定するフレーム枠との境界線や本体の外形線などの複数の線が検出されてしまい、台形補正のための基準線が検出できず、台形補正が困難となる場合があった。
【０００６】
デジタルカメラで撮影した筆記画像データを、パーソナルコンピュータに入力し、画像編集ソフトウエアで台形補正することも考えられるが、画像編集ソフトウエアにコストがかかり、また編集操作が面倒である。
このため、簡単に台形補正を実現することができまた、編集作業をある程度自動化するカメラアプリケーションが望まれている。
【課題を解決するための手段】
【０００７】
請求項１に記載するように、ホワイトボードの筆記面を撮影するカメラアプリケーションであって、このホワイトボードの筆記面の一角に設けられた補正用マークを用いて撮影画像の台形補正を行うことを特徴としている。
また請求項２項に記載するように、前記ホワイトボードの筆記面の一角に設けられた補正用マークに最も近接して抽出された輪郭線を用いて撮影画像の台形補正を行うことを特徴としている。
また請求項３に記載するように、前記補正マークを撮影画像から削除して記録する機能を有することを特徴としている。
【０００８】
更に、請求項４に記載するように、ホワイトボードの筆記面を撮影するカメラアプリケーションであって、撮影画像の一部の領域の画像を認識して、この一部の領域に筆記された項目をリスト表示する機能とを有することを特徴としている。
また、請求項５に記載するように、ホワイトボードの筆記面を撮影するカメラアプリケーションであって、ホワイトボード上に配置されたテンプレートシートの領域を撮影画像の一部として認識して、この一部の領域に筆記された項目をリスト表示する機能とを有することを特徴としている。
【発明の効果】
【０００９】
本発明のカメラアプリケーションによれば、ホワイトボードの筆記面の台形補正が容易となり、また利用者が撮影画像の管理が容易となるような表示を行うことを可能とするものである。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例に用いられるホワイトボード１を示す正面図である。
１は筆記装置であるホワイトボード本体である。
２はホワイトボード本体１の表面において筆記を行う筆記面であり、３は台形補正用のマーク、４は、テンプレートシート、５はマーカー、６はイレイサー、７はこれらのマーカー５やイレイサー６を置くトレイである。
【００１２】
本実施例のカメラアプリケーションは、上述のホワイトボード本体１を撮影し、その撮影した静止画像を台形補正し、所定の部位の画像を切り出して配置構成する画像処理を行い、その画像処理後の画像を管理するものである。
このカメラアプリケーションの初期画面を図２に示す。
リスト表示部１０には、それまでに撮影した画像データがリスト表示される。
このリスト表示部１０の下端のタブバー１１には、新規にホワイトボードの筆記を撮影するためのカメラボタン１２と、記録保存してある撮影画像を表示して、その中から画像を選択する画像選択ボタン１３が設けられている。
更に、リスト表示部１０の上端のタブバー１４には、リスト表示部１０から選択した記録画像を編集するための詳細表示を行う編集ボタン１５が設けられている。
【００１３】
最初にカメラアプリケーションのカメラボタン１２を操作すると、ホワイトボードの筆記面の大きさを示す縦、横のアスペクト比を選択する画面が表示される。利用者は、画面に表示された複数のアスペクト比の中から、これから撮影するホワイトボードの筆記面の大きさを示す表示を選択する。
ホワイトボードのアスペクト比が選択されると、表示画面には撮影素子で撮影されている画像が表示されると共に、シャッターボタンが表示され、利用者がシャッターボタンを操作すると、撮影画像の記録、保存が行われる。
【００１４】
図２を用いて、筆記面２をカメラアプリケーションによって撮影した場合の台形補正について説明する。
筆記面２を撮影する場合、筆記面２に対して、真正面から撮影することが望まれる。
しかしながら、ホワイトボード１は、会議室や教室などに配置されるが、テーブルの配置などの制約により、真正面から撮影できない場合がある。
このとき、斜めから撮影すると、歪んだ画像が得られる。
【００１５】
このときの歪みは、通常、図３に示すように、水平方向の歪みとなる。
したがって、上端の辺Ａと下端の辺Ｄが水平になるように、撮影画像を補正する必要がある。
カメラアプリケーションによって検出された補正用マーク３の上端部から最も近い上辺Ａを検出する。
続いて、補正用マーク３の右端部から最も近い右辺Ｂを検出する。
続いて、この上辺Ａの左端部、右辺Ｂの下端部から左辺Ｃと下辺Ｄを検出する。
【００１６】
辺Ａを水平、辺Ｂを垂直となるように補正すると共に、上述の利用者が設定したアスペクト比に合わせて、上辺Ａ、下辺Ｄを拡大或は縮小する。また、右辺Ｂを縮小し、或は左辺Ｃを拡大するように撮影画像を補正する。
【００１７】
図４に示されたテンプレートシート４には、左右両端にこのテンプレートシート領域を認識するための、領域検出用マーク４０を示す画像が設けられており、この領域検出用マーク４０で囲まれた領域には、タイトルを記入するための筆記領域４１と、参加者を記入するための筆記領域４２と、場所を記入するための筆記領域４３と、日時を記入するための筆記領域４４と、内容区分を５段階に分けて、その１つにチェックマークを付すことでその区分の１つを選択する第１のチェックマーク領域４５と、内容区分を３段階に分けて、その１つにチェックマークを付すことでその区分の１つを選択する第２のチェックマーク領域４６とが印刷形成されている。
【００１８】
５段階に分けた第１のチェックマーク領域４５は、例えば左端から、企画会議、定例会議、ブレーンストーミング、連絡会議、その他、を表し、この区分の１つにチェックマークを記入することで、これらの内から、現在筆記している会議の種類を選択する。
また、３段階に分けた第２のチェックマーク領域４６は、例えば左端から、完了、継続、未決、を表し、この区分の１つにチェックマークを記入することで、これらの内から、現在筆記している会議の状況を選択する。
これらの第１のチェックマーク領域４５、及び第２のチェックマーク領域４６が夫々何を表すかは、利用者が個別に設定して用いることとなる。
具体的には、カメラアプリケーションに、区分が何を表すかを設定しておくことよって、夫々のチェックマークの位置に応じて、設定したコードや文字が会議情報として、撮影された画像ファイルに付加される。
【００１９】
ホワイトボード１の利用者が、デジタルカメラ付スマートフォンなどで、ホワイトボード１の筆記画面を撮影すると、領域検出用マーク３０を検出することにより、テンプレートシート４の領域が抽出され、その領域の夫々の領域が切り出される。
チェックマーク領域４５，４６は、そのチェックされた位置が画像処理によって認識されその位置に応じた情報が選択される。
その他の筆記領域の筆記は、画像処理されることなく、領域毎に別画像として切り出される。
【００２０】
これらの切り出された領域毎の画像は、図５に示すように撮影画像表示画面５０に表示される。
この撮影画像表示画面５０のテンプレートリスト表示領域５１には、各領域毎にリストとして配置され表示される。
補正画像表示領域５２には、台形補正された撮影画像が表示される。
更に、文字入力領域５３には、利用者がタイトル、日付、撮影日などを入力可能となっている。
この文字表示領域５３の文字については、検索が可能となっている。
尚、重要度の欄は、先のテンプレートの切り出し領域の認識結果が表示されるが、利用者が変更可能となっている。
【００２１】
この撮影画像表示画面５０の上部には、タブバーが設けられており、このタブバーには、共有ボタン５４が設けられている。
この共有ボタン５４を押すと、メール送信のための画面が表示され、会議参加者、不参加者にメール送信される。
メール送信された者のスマートフォンに、このカメラアプリケーションがインストールされている場合、アプリケーションを立ち上げると、送信者のアプリケーション画面に表示された画面と同じ、図５に示した画面の表示が行われる。
また、タブバーの左側には戻るボタン５５が設けられており、この戻るボタン５５を押すと、図２に示した初期画面の表示が行われる。
尚、この初期画面のリストのうち１つを選択すると、上述の図５に示した撮影画像表示画面５０が表示される。
【００２２】
尚、本実施例では、テンプレートシート４の各領域毎に文字認識は行っておらず、区分１、区分２のみ、その区分を認識しているが、各領域毎に画像処理による文字認識を行ってもよい。
この場合は、各領域毎にグループ分けした選択表示や、各領域毎のキーワード検索が可能となる。
【００２３】
補正用マーク３のＰＬＵＳというマークは、ホワイトボードの認証を行うマークとして用いられる。
このマークが認識されたもののみ台形補正が行われ、この台形補正された撮影画像から、補正用マーク３は削除されて記録される。
【００２４】
本発明は、上述の実施例に限定されるものではなく、例えば、補正用マーク６は、上述の形態に限定されない。例えば、各マークの色を筆記用のマーカーでは使われない黄色や紫などとすることにより、補正用マークの検出精度を向上させることが可能となる。
また、初期画面のレイアウトや、撮影画像表示画面のレイアウトも本実施例に限定されるものではない。
【００２５】
尚、上述の実施例では述べなかったが、本カメラアプリケーションがインストールされたデジタルカメラ装置を用いた場合、室内照明の状況や、デジタルカメラ装置の傾斜状況によって撮影した画面内の明るさの補正も必要となる。
この明るさの補正を、デジタルカメラ装置で検出された複数の補正用マークの輝度の差分によって行ってもよい。
【産業上の利用可能性】
【００２６】
本発明は、ホワイトボードの撮影画像を容易に台形補正し、管理することが可能なカメラアプリケーションであり、会議室などで利用されるホワイトボード、或いは学校の教室などで利用されるホワイトボードの筆記画像の撮影、画像処理、及び画像処理された画像の管理を容易とするものである。
【図面の簡単な説明】
【００２７】
【図１】図１は、本発明の第１の実施例に用いられるホワイトボードを示す正面図である。
【図２】図２は、本発明の第１の実施例のカメラアプリケーションの初期画面を示す図である。
【図３】図３は、本発明の第１の実施例の台形補正方法を説明するための図である。
【図４】図４は、図１は、本発明の第１の実施例に用いられるホワイトボード用のテンプレートを示す正面図である。
【図５】図５は、本発明の第１の実施例のカメラアプリケーションの撮影画像表示画面を示す図である。
【符号の説明】
【００２８】
１：ホワイトボード本体
２：筆記面
３：補正用マーク
４：テンプレートシート
５０：撮影画像表示画面
５１：テンプレートリスト表示領域
【図１】
2014098944.tif 000003
【図２】
2014098944.tif 000004
【図３】
2014098944.tif 000005
【図４】
2014098944.tif 000006
【図５】
2014098944.tif 000007